(57)【要約】【課題】  放射線画検出器１１から読み出した画像信号を無線通信信号として出力させる場合において、その無線通信信号が無差別に傍受されてしまうのを防止する。【解決手段】  放射線画像検出カセッテ１０と受信装置との間の距離を示す距離情報を距離情報取得手段１４ａにより取得し、その取得された距離情報により示される距離が所定値以下の場合に放射線画像検出カセッテ１０から無線通信信号を出力させ、上記距離が所定値より大きい場合には放射線画像検出カセッテ１０から無線通信信号を出力させないように出力制御手段１４ｂにより制御する。【選択図】          図１
2006334281.tif 000002
【特許請求の範囲】
【請求項１】
放射線画像が記録された放射線画像記録媒体から前記放射線画像に応じた画像信号を読み出し、該読み出された画像信号を無線通信信号に変換して出力する出力装置と該出力装置から出力された前記無線通信信号を受信する受信装置との間の距離を示す距離情報を取得し、
該取得された距離情報により示される距離が所定値以下の場合に前記出力装置から前記無線通信信号を出力させ、前記距離が所定値より大きい場合には前記出力装置から前記無線通信信号を出力させないように制御することを特徴とする放射線画像信号出力制御方法。
【請求項２】
放射線画像が記録された放射線画像記録媒体から前記放射線画像に応じた画像信号を読出し、該読み出された画像信号を無線通信信号に変換して出力する出力装置と該出力装置から出力された無線通信信号を受信する受信装置との間の距離を示す距離情報を取得する距離情報取得手段と、
該距離情報取得手段により取得された距離情報により示される距離が所定値以下の場合に前記出力装置から前記無線通信信号を出力させ、前記距離が所定値より大きい場合には前記出力装置から前記無線通信信号を出力させないように制御する出力制御手段とを備えたことを特徴とする放射線画像信号出力制御装置。
【請求項３】
前記受信装置側を特定する特定信号を受け付け、該特定信号の内容に応じて前記出力装置からの前記無線通信信号の出力を認証する認証手段をさらに備え、
前記出力制御手段が、前記距離情報取得手段により取得された距離情報により示される距離が所定値以下であって、かつ前記認証手段により認証された場合に前記出力装置から前記無線通信信号を出力させるものであることを特徴とする請求項２記載の放射線画像信号出力制御装置。
【請求項４】
例外処理信号を受け付ける例外処理受付手段をさらに備え、
前記出力制御手段が、前記例外処理受付手段により前記例外処理信号が受け付けられた場合には前記距離に関わらず前記出力装置から前記無線通信信号を出力させるものであることを特徴とする請求項２または３記載の放射線画像信号出力制御装置。
【請求項５】
前記放射線画像記録媒体から読み出された前記放射線画像に応じた画像信号を一時記憶する記憶手段と、
該記憶手段に一時記憶された画像信号が前記無線通信信号に変換されて前記出力装置から出力された際、前記受信装置において正常に受信されたか否かを判定する判定手段と、
該判定手段により前記受信装置において前記無線通信信号が正常に受信されたと判定された場合には、前記受信装置により正常に受信された無線通信信号に対応する前記記憶手段に一時記憶された前記画像信号を読み出し不可能にする画像信号制御手段とをさらに備えたことを特徴とする請求項１から４いずれか１項記載の放射線画像信号出力制御装置。
【発明の詳細な説明】
【技術分野】
【０００１】
本発明は、放射線画像が記録された放射線画像記録媒体から上記放射線画像に応じた画像信号を読み出し、該読み出された画像信号を無線通信信号に変換して出力する出力装置からの無線通信信号の出力を制御する放射線画像信号出力制御方法および装置に関するものである。
【背景技術】
【０００２】
従来、医療分野などにおいて、被写体を透過した放射線の照射により被写体に関する放射線画像を記録する放射線画像記録媒体が各種提案、実用化されている。
【０００３】
上記放射線画像記録媒体としては、たとえば、放射線の照射により電荷を発生する半導体材料を利用した放射線画像検出器があり、そのような放射線画像検出器として、いわゆる光読取方式のものやＴＦＴ読取方式のものが提案されている。
【０００４】
上記光読取方式の放射線画像検出器としては、たとえば、放射線を透過する第１の電極層、放射線の照射を受けることにより電荷を発生する記録用光導電層、潜像電荷に対しては絶縁体として作用し、かつ潜像電荷と逆極性の輸送電荷に対しては導電体として作用する電荷輸送層、読取光の照射を受けることにより電荷を発生する読取用光導電層、および読取光を透過する線状電極が平行に配列された第２の電極層をこの順に積層してなる放射線画像検出器が提案されている。上記放射線画像検出器においては、第１の電極層側から放射線画像を担持した放射線が照射され、その照射に応じて記録用光導電層において発生した電荷が記録用光導電層と電荷輸送層との界面に蓄積されることにより放射線画像の記録が行われる。そして、線状の読取光の線状電極の長さ方向への走査により、読取用光導電層において電荷が発生し、その電荷が上記蓄積された電荷と結合するとともに線状電極の流れ出し、その線状電極に流れ出した電荷信号が線状電極に接続された電流検出アンプにより積分されることにより画像信号が取得されて放射線画像の読取りが行われる。
【０００５】
また、放射線画像記録媒体として、支持体上に蓄積性蛍光体を積層した蓄積性蛍光体シートを利用したものも提案されており、被写体を透過した放射線を上記蓄積性蛍光体シートに照射することにより放射線画像を蓄積記録することができる。蓄積性蛍光体シートに記録された放射線画像は、蓄積性蛍光体シートへのレーザ光などの励起光の照射によって発生した輝尽発光光を光電変換することにより画像信号として読み取られる。
【０００６】
また、上記のような放射線画像記録媒体および読取装置などをケースに収容し、持ち運びできるように構成したカセッテも提案されている。上記のように可搬型にすることにより、予め定められた場所だけでなく、任意の場所での放射線画像の記録および読取りが可能である。そして、上記のような可搬型のカセッテから無線通信信号として画像信号を出力し、その無線通信信号をコンピュータなどの受信装置により受信し、その受信した無線通信信号に基づいて放射線画像を可視画像としてモニタなどに表示させる方法も提案されている（たとえば、特許文献１参照）。
【０００７】
【特許文献１】特開平７−１４０２５５号公報
【発明の開示】
【発明が解決しようとする課題】
【０００８】
しかしながら、上記のように無線通信信号として画像信号を出力する場合、たとえば、病院以外の全く関係のない者に傍受されてしまう可能性があり、患者の個人情報が漏洩してしまうおそれがある。
【０００９】
本発明は、上記事情に鑑み、上記のように放射線画像記録媒体から読み出した画像信号を無線通信信号として出力させる場合において、その無線通信信号が無差別に傍受されてしまうのを防止することができる放射線画像信号出力制御方法および装置を提供することを目的とするものである。
【課題を解決するための手段】
【００１０】
本発明の放射線画像信号出力制御方法は、放射線画像が記録された放射線画像記録媒体から放射線画像に応じた画像信号を読み出し、その読み出された画像信号を無線通信信号に変換して出力する出力装置とその出力装置から出力された無線通信信号を受信する受信装置との間の距離を示す距離情報を取得し、その取得された距離情報により示される距離が所定値以下の場合に出力装置から無線通信信号を出力させ、上記距離が所定値より大きい場合には出力装置から無線通信信号を出力させないように制御することを特徴とする。
【００１１】
本発明の放射線画像信号出力制御装置は、放射線画像が記録された放射線画像記録媒体から放射線画像に応じた画像信号を読み出し、その読み出された画像信号を無線通信信号に変換して出力する出力装置とその出力装置から出力された無線通信信号を受信する受信装置との間の距離を示す距離情報を取得する距離情報取得手段と、距離情報取得手段により取得された距離情報により示される距離が所定値以下の場合に出力装置から無線通信信号を出力させ、距離が所定値より大きい場合には出力装置から無線通信信号を出力させないように制御する出力制御手段とを備えたことを特徴とする。
【００１２】
また、上記放射線画像信号出力制御装置においては、受信装置側を特定する特定信号を受け付け、その特定信号の内容に応じて出力装置からの無線通信信号の出力を認証する認証手段をさらに備えたものとし、出力制御手段を、距離情報取得手段により取得された距離情報により示される距離が所定値以下であって、かつ認証手段により認証された場合に出力装置から無線通信信号を出力させるものとすることができる。
【００１３】
また、例外処理信号を受け付ける例外処理受付手段をさらに備えたものとし、出力制御手段を、例外処理受付手段により例外処理信号が受け付けられた場合には距離に関わらず出力装置から無線通信信号を出力させるものとすることができる。
【００１４】
また、放射線画像記録媒体から読み出された放射線画像に応じた画像信号を一時記憶する記憶手段と、その記憶手段に一時記憶された画像信号が無線通信信号に変換されて出力装置から出力された際、受信装置において正常に受信されたか否かを判定する判定手段と、判定手段により受信装置において無線通信信号が正常に受信されたと判定された場合には、受信装置により正常に受信された無線通信信号に対応する記憶手段に一時記憶された画像信号を読み出し不可能にする画像信号制御手段とをさらに備えたものとすることができる。
【発明の効果】
【００１５】
本発明の放射線画像信号出力制御方法および装置によれば、放射線画像に応じた画像信号を無線通信信号に変換して出力する出力装置とその出力装置から出力された無線通信信号を受信する受信装置との間の距離を示す距離情報を取得し、その取得された距離情報により示される距離が所定値以下の場合に出力装置から無線通信信号を出力させ、上記距離が所定値より大きい場合には出力装置から無線通信信号を出力させないように制御するようにしたので、無差別に無線通信信号が傍受されるのを防止することができ、たとえば、診療室内や病院内にある受信装置に限定して無線通信信号を出力するようにすることができるので患者の個人情報の漏洩に対する安全性を高めることができる。
【００１６】
また、上記放射線画像信号出力制御装置において、受信装置側を特定する特定信号を受け付けてその特定信号の内容に応じて出力装置からの無線通信信号の出力を認証できるようにし、上記距離が所定値以下であって、かつ認証された場合に出力装置から無線通信信号を出力させるようにした場合には、さらに特定された受信装置に限定して無線通信信号を出力するようにすることができるので、患者の個人情報の漏洩に対する安全性をより高めることができる。
【００１７】
また、例外処理信号を受け付け可能にし、その例外処理信号が受け付けられた場合には距離に関わらず出力装置から無線通信信号を出力させるようにした場合には、たとえば、緊急時に遠方からの無線通信信号の出力要求があった場合などにおいても適切に無線通信信号を出力させることができる。
【００１８】
また、放射線画像記録媒体から読み出された画像信号を記憶手段に一時記憶するような場合において、記憶手段に一時記憶された画像信号が無線通信信号に変換されて出力装置から出力された際、受信装置において正常に受信されたか否かを判定し、正常に受信されたと判定された場合には、記憶手段に一時記憶された画像信号を読み出し不可能にするようにした場合には、記憶手段に記憶された画像信号が不正に読み出されるのを回避することができる。
【発明を実施するための最良の形態】
【００１９】
以下、図面を参照して本発明の放射線画像信号出力制御方法および装置の一実施形態について詳細に説明する。図１は、本発明の放射線画像信号出力制御装置の一実施形態を用いた放射線画像検出カセッテの概略構成図を示したものである。
【００２０】
本放射線画像検出カセッテ１０は、図１に示すように、放射線画像を記録し、その記録した放射線画像に応じた画像信号を生成する放射線画像検出器１１と、その放射線画像検出器１１において生成された画像信号を一時記憶する画像メモリ１２と、画像メモリ１２に一時記憶された画像信号を無線通信信号に変換して出力する無線通信部１３と、放射線画像検出器１１、画像メモリ１２および無線通信部１３の動作を制御する制御部１４と、放射線画像検出器１１、画像メモリ１２、無線通信部１３および制御部１４を収容する略直方体のケース１５とを備えたものである。
【００２１】
放射線画像検出器１１は、被写体を透過した放射線を検出して被写体に関する放射線画像を表す画像信号を出力するものであれば如何なるものでもよいが、たとえば、記録用の放射線を透過する第１の電極層、放射線の照射を受けることにより導電性を呈する記録用光導電層、潜像電荷に対しては略絶縁体として作用し、かつ潜像電荷と逆極性の輸送電荷に対しては略導電体として作用する電荷輸送層、読取用の電磁波の照射を受けることにより導電性を呈する読取用光導電層、および読取用の電磁波を透過する第２の電極層をこの順に積層してなるものを利用することができる。上記放射線画像検出器１１は、第１の電極層側から記録用の放射線が照射され、照射された放射線の線量に応じた量の電荷が記録用光導電層と電荷輸送層との略界面に形成される蓄電部に蓄積されることにより、放射線画像情報を記録するものである。そして、上記放射線画像検出器１１に記録された放射線画像情報は、スポット光あるいはライン光で放射線画像検出器１１を走査することにより読み出されるが、これらの読取光を走査する機構もケース内１５に設けられている（図示せず）。また、上記のような直接変換方式の放射線画像検出器の他に、放射線の照射により蛍光体から発せられた蛍光を光電変換して得た電荷を蓄電部に蓄積する間接変換方式の放射線画像検出器を利用することもできる。また、いわゆるＴＦＴ読取方式の放射線画像検出器も利用することができる。また、蓄積性蛍光体シートとその蓄積性蛍光体シートに励起光を照射してラインセンサなどにより読み取る読取装置とをケース内１５に設けるようにしてもよい。
【００２２】
無線通信部１３は、上記のように画像信号を無線通信信号に変換して出力するものであるが、その通信方式については、たとえば、ＵＷＢ通信、Bluetooth、HiSWANa（High Speed Wireless Access Network type a）、HiperLAN、ワイヤレス１３９４、ワイヤレスＵＳＢ、無線ＬＡＮ等の既存の種々の通信方式を利用することができる。
【００２３】
制御部１４は、上記のように放射線画像検出器１１、画像メモリ１２および無線通信部１３の動作を制御するものであるが、さらに、図１に示すように、放射線画像検出カセッテ１０から出力された無線通信信号を受信する受信装置との距離を示す情報を取得する距離情報取得手段１４ａと、距離情報取得手段１４ａにより取得された距離情報により示される距離が所定値以下の場合に上記無線通信信号を無線通信部１３から出力するよう制御する出力制御手段１４ｂとを備えている。
【００２４】
ここで、上記受信装置は、たとえば、放射線画像検出カセッテ１０から出力された無線通信信号を受信し、その無線通信信号を画像信号に変換した後、その画像信号に基づいて可視画像を表示する画像再生装置である。この画像再生装置は、コンピュータとモニタとから構成され、距離情報取得手段１４ａは、上記のような受信装置から出力された、出力要求信号を無線通信部１３を介して受信し、その受信に応じて受信装置と放射線画像カセッテ１０との距離を測定するものである。その動作については後に詳述する。なお、上記出力要求信号とは、放射線画像検出カセッテ１０から受信装置への画像信号の出力を要求する信号である。
【００２５】
ケース１５は、上面開放の箱形収容部１５ａと該収容部１５ａの上面を覆う蓋部１５ｂとからなる。
【００２６】
次に、上記放射線画像カセッテ１０の作用について説明する。
【００２７】
まず、放射線画像検出カセッテ１０の制御部１４からの制御信号に応じて、所定の撮影条件で放射線画像が記録された放射線画像検出器１１から画像信号が読み出され、画像メモリ１２に出力されて一時記憶される。なお、上記のような画像信号の読出開始を指示する信号については、受信装置から出力させ無線通信部１３を介して制御部１４に入力するようにしてもよいし、放射線画像検出カセッテ１０に操作パネルなどの入力装置を設け、この入力装置を利用して読出開始を指示するようにしてもよい。
【００２８】
そして、受信装置から画像信号の出力要求信号が出力され、この出力要求信号は無線通信部１３を介して制御部１４の距離情報取得手段１４ａに入力される。距離情報取得手段１４ａは、上記のように出力要求信号を受け取ると無線通信部１３を介して、受信装置との距離を測定するための距離測定用無線通信信号を受信装置に向かって出力する。そして、受信装置は距離測定用無線通信信号を受信した後すぐに放射線画像検出カセッテ１０に対して返信信号を無線通信信号として出力する。なお、このとき無線通信部１３から出力される無線通信信号には受信装置を特定する信号が含まれ、受信装置から出力される返信信号には放射線画像検出カセッテ１０を特定する信号が含まれているものとする。
【００２９】
そして、上記のように受信装置から出力された返信信号は無線通信部１３により受信され、距離情報取得手段１４ａに入力される。距離情報取得手段１４ａは、距離測定用無線通信信号を出力した時点から上記返信信号を受信するまでの時点までの時間ｔ１を計測し、この時間ｔ１に基づいて、下式より放射線画像検出カセッテ１０と受信装置との間の距離ｄを算出する。なお、ｔ２は予め距離情報取得手段１４ａに設定されているものとする。
【００３０】
ｄ ＝ ｃ × （ｔ１−ｔ２）/２
ただし、ｃ：光速
ｔ２：受信装置において距離測定用無線通信信号を受信した時点から受信装置から返信信号を出力する時点までの時間
そして、距離情報取得手段１４ａは上記のようにして算出した距離ｄを出力制御手段１４ｂに出力する。そして、出力制御手段１４ｂは、図２に示すように、放射線画像検出カセッテ１０と受信装置２０との間の距離ｄが、予め設定された所定値Ｄ以下である場合には、つまり、図２に示す点線の円の範囲内に受信装置が位置する場合には、画像メモリ１２から画像信号を読み出し、無線通信部１３において画像信号を無線通信信号の変換した後、その無線通信信号を受信装置２０に向け出力させる。一方、放射線画像検出カセッテ１０と受信装置２０との間の距離ｄが、上記所定値Ｄよりも大きい場合には、つまり、図２に示す点線の円の範囲外に受信装置が位置する場合には、画像メモリ１２から画像信号の読み出しは行わず、無線通信部１３からの無線通信信号の出力を行わないようにする。なお、放射線画像検出カセッテ１０と受信装置との間の距離ｄが上記所定値Ｄより大きい場合においては、距離が離れすぎているため画像信号を出力することができない旨を示す信号を放射線画像検出カセッテ１０から無線通信部１３を介して受信装置２０に出力するようにしてもよい。
【００３１】
上記実施形態を用いた放射線画像検出カセッテ１０によれば、放射線画像検出カセッテ１０と受信装置との間の距離を示す距離情報を取得し、その取得された距離情報により示される距離が所定値以下の場合に出力装置から無線通信信号を出力させ、上記距離が所定値より大きい場合には出力装置から無線通信信号を出力させないように制御するようにしたので、無差別に無線通信信号が傍受されるのを防止することができ、たとえば、診療室内や病院内にある受信装置に限定して無線通信信号を出力するようにすることができるので患者の個人情報の漏洩に対する安全性を高めることができる。
【００３２】
また、上記放射線画像検出カセッテ１０における出力制御手段１４ｂは、放射線画像検出カセッテ１０と受信装置２０との距離にのみ基づいて無線通信信号の出力を制御するようにしたが、たとえば、受信装置からその受信装置側を特定するような特定信号を出力させるようにするとともに、制御部１４に、上記特定信号を受け付け、その特定信号の内容に応じて放射線画像検出カセッテ１０からの無線通信信号の出力を認証する認証手段１４ｃをさらに設けるようにし、出力制御手段１４ｂが、距離情報取得手段１４ａにより取得された距離ｄが所定値Ｄ以下であって、かつ認証手段１４ｃにより認証された場合に、放射線画像検出カセッテ１０から無線通信信号を出力するようにしてもよい。上記特定信号とは、たとえば、パスワードのような情報を有する信号であり、認証手段１４ｃは、予め設定されたパスワードを有する特定信号を受け付けた場合にのみ放射線画像検出カセッテ１０からの無線通信信号の出力を認証する。
【００３３】
また、図４に示すように、受信装置から出力されて例外処理信号を受け付ける例外処理受付手段１４ｄを制御部１４にさらに設け、出力制御手段１４ｂが、例外処理受付手段１４ｄにより例外処理信号が受け付けられた場合には、上記距離ｄに関わらず放射線画像検出カセッテ１０から無線通信信号を出力させるようにしてもよい。ここで、例外処理信号とは、たとえば、緊急時などにおいて放射線画像検出カセッテ１０から上記距離ｄに関わらず無線通信信号を出力させる必要がある場合に使用される信号であり、予め例外処理受付手段１４ｄに設定された信号である。
【００３４】
また、図５に示すように、画像メモリ１２に一時記憶された画像信号が無線通信信号に変換されて放射線画像検出カセッテ１０から出力された際、受信装置において正常に受信されたか否かを判定する判定手段１４ｅと、この判定手段１４ｅにより受信装置において無線通信信号が正常に受信されたと判定された場合には、その受信装置において受信された無線通信信号に対応した画像信号が画像メモリ１２から読み出されないようにする画像信号制御手段１４ｆとをさらに制御部１４に設けるようにしてもよい。上記判定手段１４ｅは、放射線画像検出カセッテ１０から無線通信信号が出力された後、その無線通信信号の受信確認信号を受信装置に出力するものであり、受信装置は上記受信確認信号に受け付けるとベリファイ機能をＯＮにし、無線通信信号が正常に受信され、メモリに画像信号が正常に記憶されたかどうかを確認する。そして、メモリに画像信号が正常に記憶されている場合には、受信完了信号を放射線画像検出カセッテ１０に向けて出力する。そして、判定手段１４ｅは、上記受信完了信号を所定時間内に受信した場合には、受信装置において無線通信信号が正常に受信されたと判定し、上記所定時間内に受信されなかった場合には、受信装置において無線通信信号が正常に受信されなかったと判定する。そして、画像信号制御手段１４ｆは、判定手段１４ｅにより受信装置において無線通信信号が正常に受信されたと判定された場合には、画像メモリ１２から画像信号を消去する処理を行う。また、上記のように画像メモリ１２から画像信号を消去するのではなく、画像信号を暗号化したり、ランダムデータを画像メモリ１２に上書きしたりするようにしてもよい。要は、画像信号制御手段１４ｆは、画像信号として読み出し不可能にする処理であれば如何なる処理をするようにしてもよい。または、放射線画像検出器１１から画像信号を読み取って画像メモリ１２に記憶する際、画像信号制御手段１４ｆにより所定の暗号鍵を利用して画像信号を暗号化して記憶し、画像信号を無線通信信号として出力する際には、再び暗号鍵を用いて画像信号にもどして無線通信信号として出力し、判定手段１４ｅにより受信装置において無線通信信号が正常に受信されたと判定された場合には、上記暗号鍵を消去するようにしてもよい。また、画像メモリ１２に記憶された暗号化された画像信号をそのまま無線通信信号に変換して受信装置に出力するとともに、暗号鍵も無線通信信号に変換して受信装置に出力し、判定手段１４ｅにより受信装置において画像信号および暗号鍵が正常に受信されたと判定された場合には、放射線画像検出カセッテ１０側の暗号鍵を消去するようにしてもよい。
【００３５】
また、上記実施形態においては、受信装置からの出力要求信号に応じて放射線画像検出カセッテ１０から距離測定用無線通信信号を出力させるとともに、受信装置から返信信号を出力させることにより放射線画像検出カセッテ１０と受信装置との距離を測定するようにしたが、これに限らず、たとえば、放射線画像検出カセッテ１０に指向性を判別するアンテナを設け、このアンテナにより上記出力要求信号を受信することにより受信装置の存在する方法を認識し、放射線画像検出カセッテ１０から受信装置に向けてＵＷＢ電波を発信して、レーダの原理で放射線画像検出カセッテ１０と受信装置との距離を測定するようにしてもよい。また、上記のような方法に限らず、無線通信信号を利用した距離測定方法であればその他の既知の如何なる距離測定方法を利用するようにしてもよい。
【００３６】
また、上記説明においては、放射線画像信号出力制御方法および装置の一実施形態を放射線画像検出カセッテに利用したものを説明したが、放射線画像検出カセッテに限らず、放射線画像検出器１１から放射線画像に応じた画像信号を読み出し、その読み出された画像信号を無線通信信号に変換して出力する出力装置であれば、その他の構成の装置に上記実施形態を用いるようにしてもよい。たとえば、放射線画像検出カセッテのような可搬型のもの限らず、設置位置が固定の放射線画像読取装置に上記実施形態を用いるようにしてもよい。そして、受信装置も設置位置が固定のものに限らず、たとえば、ノート型ＰＣなどを受信装置としてもよい。
【図面の簡単な説明】
【００３７】
【図１】本発明の放射線画像信号出力制御装置の一実施形態を用いた放射線画像検出カセッテの概略構成図
【図２】図１に示す放射線画像検出カセッテの作用を説明するための図
【図３】本発明の放射線画像信号出力制御装置のその他の実施形態における制御部の構成を示すブロック図
【図４】本発明の放射線画像信号出力制御装置のその他の実施形態における制御部の構成を示すブロック図
【図５】本発明の放射線画像信号出力制御装置のその他の実施形態における制御部の構成を示すブロック図
【符号の説明】
【００３８】
１０    放射線画像検出カセッテ
１１    放射線画像検出器
１５    ケース
２０    受信装置
【図１】
2006334281.tif 000003
【図２】
2006334281.tif 000004
【図３】
2006334281.tif 000005
【図４】
2006334281.tif 000006
【図５】
2006334281.tif 000007